(57)【要約】【課題】第１のグループ通信型サービスから第２のサービスに切り替える際に、第２のサービスに基づくデータ種別のデータを処理できない端末がメンバとして存在している場合であっても、できる限り第２のサービスを提供できるようにするサービス切替方法、サーバ、端末及びプログラムを提供する。【解決手段】自側切替前端末が、自側切替後端末のアドレスとデータ種別識別子とを含むREFERリクエストを、サーバへ送信する。サーバは、データ種別識別子を含むNOTIFYリクエストを送信する。NOTIFYリクエストを受信した相手側切替前端末が、データ種別識別子のデータを処理しないと判定した際に、420 Unsupportedをサーバへ送信し、データ種別識別子のデータを処理可能な相手側切替後端末のアドレスを含むREFERリクエストをサーバへ送信する。サーバは、新たなアドレスを含むUPDATEリクエストを送信する。【選択図】図１
2008048183.tif 000002
【特許請求の範囲】
【請求項１】
複数の端末と、該端末をメンバとしたグループ通信のためのセッション制御をするサーバとを有するシステムにおけるサービス切替方法において、
自側切替前端末が、端末、アプリケーション又はリンクを切り替える際に、自側切替後端末のアドレス及びデータ種別識別子を含むサービス切替要求を、前記サーバへ送信する第１のステップと、
前記サーバが、前記メンバとなる全ての端末へ、前記データ種別識別子を含むサービス切替通知を送信する第２のステップと、
前記サービス切替通知を受信した相手側切替前端末が、前記データ種別識別子のデータを処理するか否かを判定する第３のステップと、
相手側切替前端末が、前記データ種別識別子のデータを処理しないと判定した際に、サービス切替拒否応答を前記サーバへ送信すると共に、前記データ種別識別子のデータを処理可能な相手側切替後端末のアドレスを含むサービス切替要求を、前記サーバへ送信する第４のステップと、
前記サーバは、前記メンバとなる全ての端末へ、自側切替後端末のアドレス及び相手側切替後端末のアドレスを含むセッション変更要求を送信する第５のステップと
を有することを特徴とするサービス切替方法。
【請求項２】
前記セッション制御には、ＳＩＰ(Session Initiation Protocol)が用いられ、
前記サービス切替要求には、REFERリクエストが用いられ、
前記サービス切替通知には、NOTIFYリクエストが用いられ、
前記サービス切替拒否応答には、420 Unsupportedレスポンスが用いられ、
前記セッション変更要求には、UPDATEリクエストが用いられる
ことを特徴とする請求項１に記載のサービス切替方法。
【請求項３】
前記データ種別識別子は、音声、映像及びテキストのデータ種別の識別子であることを特徴とする請求項１又は２に記載のサービス切替方法。
【請求項４】
複数の端末と、該端末をメンバとしたグループ通信のためのセッション制御をするグループ管理サーバにおいて、
自側切替前端末が、端末、アプリケーション又はリンクを切り替える際に、自側切替後端末のアドレス及びデータ種別識別子を含むサービス切替要求を受信するサービス切替要求受信手段と、
前記メンバとなる全ての端末へ、前記データ種別識別子を含むサービス切替通知を送信するサービス切替通知送信手段と、
前記サービス切替通知を受信した相手側切替前端末から、サービス切替認容応答又はサービス切替拒否応答を受信するサービス切替応答受信手段と、
前記サービス切替要求受信手段が、相手側切替前端末から、前記データ種別識別子のデータを処理可能な相手側切替後端末のアドレスを含むサービス切替要求を受信し、
前記メンバとなる全ての端末へ、自側切替後端末のアドレス及び相手側切替後端末のアドレスを含むセッション変更要求送信手段と
を有することを特徴とするグループ管理サーバ。
【請求項５】
前記セッション制御には、ＳＩＰ(Session Initiation Protocol)が用いられ、
前記サービス切替要求には、REFERリクエストが用いられ、
前記サービス切替通知には、NOTIFYリクエストが用いられ、
前記サービス切替拒否応答には、420 Unsupportedレスポンスが用いられ、
前記セッション変更要求には、UPDATEリクエストが用いられる
ことを特徴とする請求項４に記載のグループ管理サーバ。
【請求項６】
グループ通信のためのセッション制御をするサーバに対して、メンバとして通信する端末において、
端末、アプリケーション又はリンクを切り替える際に、切替後端末のアドレス及びデータ種別識別子を含むサービス切替要求を、前記サーバへ送信するサービス切替要求送信手段と、
前記サーバから、前記データ種別識別子を含むサービス切替通知を受信するサービス切替通知受信手段と、
前記データ種別識別子のデータを処理するか否かを判定するサービス切替判定手段と、
前記データ種別識別子のデータを処理しないと判定した際に、サービス切替拒否応答を、前記サーバへ送信するサービス切替応答送信手段と、
前記サービス切替要求送信手段は、前記データ種別識別子のデータを処理可能な切替後端末のアドレスを含むサービス切替要求を、前記サーバへ送信し、
グループ通信のためのセッション変更要求を、前記サーバへ送信するセッション変更要求受信手段と
を有することを特徴とする端末。
【請求項７】
前記セッション制御には、ＳＩＰ(Session Initiation Protocol)が用いられ、
前記サービス切替要求には、REFERリクエストが用いられ、
前記サービス切替通知には、NOTIFYリクエストが用いられ、
前記サービス切替拒否応答には、420 Unsupportedレスポンスが用いられ、
前記セッション変更要求には、UPDATEリクエストが用いられる
ことを特徴とする請求項６に記載の端末。
【請求項８】
複数の端末と、該端末をメンバとしたグループ通信のためのセッション制御をするグループ管理サーバに搭載されたコンピュータによって機能させるプログラムにおいて、
自側切替前端末が、端末、アプリケーション又はリンクを切り替える際に、自側切替後端末のアドレス及びデータ種別識別子を含むサービス切替要求を受信するサービス切替要求受信手段と、
前記メンバとなる全ての端末へ、前記データ種別識別子を含むサービス切替通知を送信するサービス切替通知送信手段と、
前記サービス切替通知を受信した相手側切替前端末から、サービス切替認容応答又はサービス切替拒否応答を受信するサービス切替応答受信手段と、
前記サービス切替要求受信手段が、相手側切替前端末から、前記データ種別識別子のデータを処理可能な相手側切替後端末のアドレスを含むサービス切替要求を受信し、
前記メンバとなる全ての端末へ、自側切替後端末のアドレス及び相手側切替後端末のアドレスを含むセッション変更要求送信手段と
してコンピュータを機能させることを特徴とするグループ管理サーバ用プログラム。
【請求項９】
グループ通信のためのセッション制御をするサーバに対して、メンバとして通信する端末に搭載されたコンピュータを機能させるプログラムにおいて、
端末、アプリケーション又はリンクを切り替える際に、切替後端末のアドレス及びデータ種別識別子を含むサービス切替要求を、前記サーバへ送信するサービス切替要求送信手段と、
前記サーバから、前記データ種別識別子を含むサービス切替通知を受信するサービス切替通知受信手段と、
前記データ種別識別子のデータを処理するか否かを判定するサービス切替判定手段と、
前記データ種別識別子のデータを処理しないと判定した際に、サービス切替拒否応答を、前記サーバへ送信するサービス切替応答送信手段と、
前記サービス切替要求送信手段は、前記データ種別識別子のデータを処理可能な切替後端末のアドレスを含むサービス切替要求を、前記サーバへ送信し、
グループ通信のためのセッション変更要求を、前記サーバへ送信するセッション変更要求受信手段と
してコンピュータを機能させることを特徴とする端末用プログラム。
【発明の詳細な説明】
【技術分野】
【０００１】
本発明は、グループ通信におけるサービス切替方法、サーバ、端末及びプログラムに関する。
【背景技術】
【０００２】
複数の端末間のセッションを制御することによってグループ通信型サービスを提供する技術がある（例えば非特許文献１参照）。固定通信環境におけるグループ通信では、高性能の端末や高速大容量の回線を利用したテレビ会議サービスが提供されている。一方、移動通信環境におけるグループ通信では、携帯電話機を利用した音声メッセンジャーのようなサービスが提供されている。アプリケーションのデータ種別に基づくこれらサービスは、それぞれ独立したものであるので、ユーザは、そのサービスに応じて複数の端末を使い分ける必要がある。
【０００３】
近年、ユビキタス環境を提供するために、固定通信環境及び移動通信環境を混在させたＦＭＣ(Fixed-Mobile Convergence)環境が提供されている。ＦＭＣ環境下で、グループ通信型サービスを提供しようとすると、様々な処理能力の端末が、メンバとして存在することとなる。この場合、端末又はアプリケーションに基づくデータ種別に応じて、そのデータを処理可能な端末と処理できない端末とが存在するために、サービスの切り替えは容易ではない。
【０００４】
【非特許文献１】IETF Internet draft(draft-ietf-sipping-cc-framework-06)、「A Call Control and Multi-party usageframework for the Session Initiation Protocol (SIP)」
【発明の開示】
【発明が解決しようとする課題】
【０００５】
従来技術によれば、グループ通信のメンバとなる全ての端末が、切り替え後の端末又はアプリケーションに基づくサービスにおけるデータ種別のデータを処理できなければ、グループ通信を構成できず、そのサービスに切り替えることはできない。グループ通信は、全ての端末がそのサービスのデータを処理できることを前提としている。
【０００６】
そこで、本発明は、第１のグループ通信型サービスから第２のサービスに切り替える際に、第２のサービスに基づくデータ種別のデータを処理できない端末がメンバとして存在している場合であっても、できる限り第２のサービスを提供できるようにするサービス切替方法、サーバ、端末及びプログラムを提供することを目的とする。
【課題を解決するための手段】
【０００７】
本発明によれば、複数の端末と、該端末をメンバとしたグループ通信のためのセッション制御をするサーバとを有するシステムにおけるサービス切替方法において、
自側切替前端末が、端末、アプリケーション又はリンクを切り替える際に、自側切替後端末のアドレス及びデータ種別識別子を含むサービス切替要求を、サーバへ送信する第１のステップと、
サーバが、メンバとなる全ての端末へ、データ種別識別子を含むサービス切替通知を送信する第２のステップと、
サービス切替通知を受信した相手側切替前端末が、データ種別識別子のデータを処理するか否かを判定する第３のステップと、
相手側切替前端末が、データ種別識別子のデータを処理しないと判定した際に、サービス切替拒否応答をサーバへ送信すると共に、データ種別識別子のデータを処理可能な相手側切替後端末のアドレスを含むサービス切替要求を、サーバへ送信する第４のステップと、
サーバは、メンバとなる全ての端末へ、自側切替後端末のアドレス及び相手側切替後端末のアドレスを含むセッション変更要求を送信する第５のステップと
を有することを特徴とする。
【０００８】
本発明のサービス切替方法における他の実施形態によれば、
セッション制御には、ＳＩＰ(Session Initiation Protocol)が用いられ、
サービス切替要求には、REFERリクエストが用いられ、
サービス切替通知には、NOTIFYリクエストが用いられ、
サービス切替拒否応答には、420 Unsupportedレスポンスが用いられ、
セッション変更要求には、UPDATEリクエストが用いられることも好ましい。
【０００９】
本発明のサービス切替方法における他の実施形態によれば、データ種別識別子は、音声、映像及びテキストのデータ種別の識別子であることも好ましい。
【００１０】
本発明によれば、複数の端末と、該端末をメンバとしたグループ通信のためのセッション制御をするグループ管理サーバにおいて、
自側切替前端末が、端末、アプリケーション又はリンクを切り替える際に、自側切替後端末のアドレス及びデータ種別識別子を含むサービス切替要求を受信するサービス切替要求受信手段と、
メンバとなる全ての端末へ、データ種別識別子を含むサービス切替通知を送信するサービス切替通知送信手段と、
サービス切替通知を受信した相手側切替前端末から、サービス切替認容応答又はサービス切替拒否応答を受信するサービス切替応答受信手段と、
サービス切替要求受信手段が、相手側切替前端末から、データ種別識別子のデータを処理可能な相手側切替後端末のアドレスを含むサービス切替要求を受信し、
メンバとなる全ての端末へ、自側切替後端末のアドレス及び相手側切替後端末のアドレスを含むセッション変更要求送信手段と
を有することを特徴とする。
【００１１】
本発明のグループ管理サーバにおける他の実施形態によれば、
セッション制御には、ＳＩＰが用いられ、
サービス切替要求には、REFERリクエストが用いられ、
サービス切替通知には、NOTIFYリクエストが用いられ、
サービス切替拒否応答には、420 Unsupportedレスポンスが用いられ、
セッション変更要求には、UPDATEリクエストが用いられる
ことも好ましい。
【００１２】
本発明によれば、グループ通信のためのセッション制御をするサーバに対して、メンバとして通信する端末において、
端末、アプリケーション又はリンクを切り替える際に、切替後端末のアドレス及びデータ種別識別子を含むサービス切替要求を、サーバへ送信するサービス切替要求送信手段と、
サーバから、データ種別識別子を含むサービス切替通知を受信するサービス切替通知受信手段と、
データ種別識別子のデータを処理するか否かを判定するサービス切替判定手段と、
データ種別識別子のデータを処理しないと判定した際に、サービス切替拒否応答を、サーバへ送信するサービス切替応答送信手段と、
サービス切替要求送信手段は、データ種別識別子のデータを処理可能な切替後端末のアドレスを含むサービス切替要求を、サーバへ送信し、
グループ通信のためのセッション変更要求を、サーバへ送信するセッション変更要求受信手段と
を有することを特徴とする。
【００１３】
本発明の端末における他の実施形態によれば、
セッション制御には、ＳＩＰが用いられ、
サービス切替要求には、REFERリクエストが用いられ、
サービス切替通知には、NOTIFYリクエストが用いられ、
サービス切替拒否応答には、420 Unsupportedレスポンスが用いられ、
セッション変更要求には、UPDATEリクエストが用いられることも好ましい。
【００１４】
本発明によれば、複数の端末と、該端末をメンバとしたグループ通信のためのセッション制御をするグループ管理サーバに搭載されたコンピュータによって機能させるプログラムにおいて、
自側切替前端末が、端末、アプリケーション又はリンクを切り替える際に、自側切替後端末のアドレス及びデータ種別識別子を含むサービス切替要求を受信するサービス切替要求受信手段と、
メンバとなる全ての端末へ、データ種別識別子を含むサービス切替通知を送信するサービス切替通知送信手段と、
サービス切替通知を受信した相手側切替前端末から、サービス切替認容応答又はサービス切替拒否応答を受信するサービス切替応答受信手段と、
サービス切替要求受信手段が、相手側切替前端末から、データ種別識別子のデータを処理可能な相手側切替後端末のアドレスを含むサービス切替要求を受信し、
メンバとなる全ての端末へ、自側切替後端末のアドレス及び相手側切替後端末のアドレスを含むセッション変更要求送信手段と
してコンピュータを機能させることを特徴とする。
【００１５】
本発明によれば、グループ通信のためのセッション制御をするサーバに対して、メンバとして通信する端末に搭載されたコンピュータを機能させるプログラムにおいて、
端末、アプリケーション又はリンクを切り替える際に、切替後端末のアドレス及びデータ種別識別子を含むサービス切替要求を、サーバへ送信するサービス切替要求送信手段と、
サーバから、データ種別識別子を含むサービス切替通知を受信するサービス切替通知受信手段と、
データ種別識別子のデータを処理するか否かを判定するサービス切替判定手段と、
データ種別識別子のデータを処理しないと判定した際に、サービス切替拒否応答を、サーバへ送信するサービス切替応答送信手段と、
サービス切替要求送信手段は、データ種別識別子のデータを処理可能な切替後端末のアドレスを含むサービス切替要求を、サーバへ送信し、
グループ通信のためのセッション変更要求を、サーバへ送信するセッション変更要求受信手段と
してコンピュータを機能させることを特徴とする。
【発明の効果】
【００１６】
本発明のサービス切替方法、サーバ、端末及びプログラムによれば、第１のグループ通信型サービスから第２のサービスに切り替える際に、第２のサービスに基づくデータ種別のデータを処理できない端末がメンバとして存在している場合であっても、できる限り第２のサービスを提供できるようになる。
【発明を実施するための最良の形態】
【００１７】
以下では、図面を用いて、本発明を実施するための最良の形態について詳細に説明する。
【００１８】
図１は、本発明におけるシステム構成図である。
【００１９】
図１によれば、集中型グループ通信を構成するために、グループ管理サーバ１がインターネット３に接続されている。グループ管理サーバ１は、ユーザの所持する端末間で、グループ通信のためのセッションを制御する。セッション制御には、ＳＩＰ(Session Initiation Protocol)が用いられているとする。
【００２０】
また、図１によれば、ユーザＡ、Ｂ及びＣが、各自所持する端末を用いてグループ通信に参加している。ユーザＡは、携帯電話機２Ａ１及びパーソナルコンピュータ２Ａ２を所持する。ユーザＢは、ＩＰ電話機２Ｂ１及びパーソナルコンピュータ２Ｂ２を所持する。ユーザＣは、パーソナルコンピュータ２Ｃ１を所持する。ユーザによって所持される端末は全て、アクセスネットワークである携帯電話網又はＬＡＮを介して、インターネット３に接続される。
【００２１】
最初に、ユーザＡの携帯電話機２Ａ１と、ユーザＢのＩＰ電話機２Ｂ１と、ユーザＣのパーソナルコンピュータ２Ｃ１との間で、音声データに基づくサービスのグループ通信が構成されている。この場合、ユーザＡが、音声データだけでなく、映像データに基づくサービスのグループ通信を所望して、携帯電話機２Ａ１からパーソナルコンピュータ２Ａ２へ切り替えたとする。このとき、本発明によれば、ユーザＡのパーソナルコンピュータ２Ａ２と、ユーザＢのパーソナルコンピュータ２Ｂ２と、ユーザＣのパーソナルコンピュータ２Ｃ１との間で、映像データに基づくグループ通信が構成されるようにサービスを切り替える。
【００２２】
尚、表１のように、各端末のアドレスが規定されているとする。
【表１】
2008048183.tif 000003
【００２３】
以下で用いる用語について定義する。「サービス切替」とは、アドレス切替及び／又はデータ種別切替を意味する。アドレス切替とは、端末の変更に伴うアドレスの変更と、同じ端末であってもリンク変更に伴うアドレスの変更とを意味する。データ種別切替とは、アプリケーションに基づく音声、映像又はテキストのようなデータ種別の変更を意味する。また、「自側切替前端末」は、サービス切替の要求元の端末を意味する。「自側切替後端末」は、サービス切替の要求元のユーザが所持する端末であって、サービス切替後の端末を意味する。「自側切替前端末」と「自側切替後端末」とは同一端末であってもよい。更に、「相手側切替前端末」は、サービス切替の要求相手先の端末を意味する。「相手側切替後端末」は、サービス切替の要求相手先のユーザが所持する端末であって、サービス切替後の端末を意味する。「相手側切替前端末」と「相手側切替後端末」とは同一端末であってもよい。
【００２４】
図２は、本発明におけるシーケンス図である。
【００２５】
（Ｓ２０１）ユーザＡの携帯電話機２Ａ１と、ユーザＢのＩＰ電話機２Ｂ１と、ユーザＣのパーソナルコンピュータ２Ｃ１との間で、音声データに基づくサービスのグループ通信が構成されている。
【００２６】
（Ｓ２０２）ユーザＡが、音声データのサービスから、音声データ＋映像データのサービスへ切り替えることを所望したとする。即ち、ユーザＡは、グループ通信のメンバとなる端末を、携帯電話機２Ａ１から、パーソナルコンピュータ２Ａ２へ切り替えることを所望する。このとき、自側切替前端末の携帯電話機２Ａ１は、グループ管理サーバ１へ「サービス切替要求」を送信する。サービス切替要求には、例えば「REFER」リクエストを用いる。REFERリクエストは、通話中に、他のリクエストを送信するために用いるものである。
【００２７】
表２は、Ｓ２０２において送信されるREFERリクエストを表す。REFERリクエストは、自側切替後端末のパーソナルコンピュータ２Ａ２のアドレス（※２０２−１）と、音声データ識別子audio（※２０２−２）と、映像データの識別子video（※２０２−３）とを含む。
【表２】
2008048183.tif 000004
【００２８】
尚、本発明によれば、サービス切替要求を送信する場合として、４つのケースがある。
（１）端末を切り替える場合のサービス切替要求：
自側切替前端末のアドレスと自側切替後端末のアドレスとは異なる
データ種別識別子は同一
（２）アプリケーションを切り替える場合のサービス切替要求：
自側切替前端末のアドレスと自側切替後端末のアドレスとは同一
データ種別識別子は変更
（３）リンクを切り替える場合のサービス切替要求：
自側切替前端末のアドレスと自側切替後端末のアドレスとは異なる
データ種別識別子は同一
（４）アプリケーション、及び、端末又はリンクを切り替える場合のサービス切替要求：
自側切替前端末のアドレスと自側切替後端末のアドレスとは異なる
データ種別識別子は変更
【００２９】
（Ｓ２０３）グループ管理サーバ１は、サービス切替要求のREFERメッセージを送信した携帯電話機２Ａ１へ、「202 ACCEPT」レスポンスを返信する。
【００３０】
（Ｓ２０４）グループ管理サーバ１は、メンバとなる全ての端末（携帯電話機２Ａ１、ＩＰ電話機２Ｂ１、パーソナルコンピュータ２Ｃ１）へ、音声データの識別子audioだけでなく、映像データの識別子videoを含む「サービス切替通知」を送信する。サービス切替通知は、例えば「NOTIFY」リクエストを用いる。NOTIFYリクエストは、サービス切り替えのための通知予約の役割をする。
【００３１】
（Ｓ２０５）自側切替前端末の携帯電話機２Ａ１は、グループ管理サーバ１から受信したNOTIFYリクエストに対して、「200 OK」レスポンスを返信する。
（Ｓ２０６）相手側切替前端末のパーソナルコンピュータ２Ｃ１は、グループ管理サーバ１から受信したNOTIFYリクエストに対して、音声データの識別子audio及び映像データの識別子videoのデータを処理するか否かを判定する。図２によれば、パーソナルコンピュータ２Ｃ１は、データ種別識別子audio及びvideoのデータを処理可能と判定し、相手側切替後端末として、グループ管理サーバ１へ「200 OK」レスポンスを返信する。
【００３２】
（Ｓ２０７）相手側切替前端末のＩＰ電話機２Ｂ１は、グループ管理サーバ１から受信したNOTIFYリクエストに対して、音声データの識別子audio及び映像データの識別子videoのデータを処理するか否かを判定する。ここで、ＩＰ電話機２Ｂ１は、音声データの識別子audioのデータ処理は可能であるが、データ種別識別子videoのデータを処理不可能と判定したとする。
【００３３】
（Ｓ２０８）このとき、相手側切替前端末のＩＰ電話機２Ｂ１は、「サービス切替拒否応答」を、グループ管理サーバ１へ返信する。サービス切替拒否応答は、例えば「420 Unsupported」レスポンスである。
【００３４】
表３は、Ｓ２０８において送信される420 Unsupportedレスポンスを表す。
【表３】
2008048183.tif 000005
【００３５】
（Ｓ２０９）また、相手側切替前端末のＩＰ電話機２Ｂ１は、グループ管理サーバ１へ、「サービス切替要求」、即ち「REFER」リクエストを送信する。
【００３６】
表４は、Ｓ２０９において送信されるREFERリクエストを表す。REFERリクエストは、映像データを処理することができる相手側切替後端末のパーソナルコンピュータ２Ｂ２のアドレス（※２０９−１）を含む。
【表４】
2008048183.tif 000006
【００３７】
（Ｓ２１０）グループ管理サーバ１は、相手側切替前端末のＩＰ電話機２Ｂ１へ、音声データの識別子audio及び映像データの識別子videoを含む「サービス切替通知」、即ち「NOTIFY」リクエストを送信する。
【００３８】
（Ｓ２１１）相手側切替前端末のＩＰ電話機２Ｂ１は、グループ管理サーバ１から受信したNOTIFYリクエストに対して、「200 OK」レスポンスを返信する。
【００３９】
（Ｓ２１２）グループ管理サーバ１は、全ての端末へ、セッションを制御する「セッション変更要求」を送信する。セッション変更要求は、例えば「UPDATE」リクエストを用いる。UPDATEリクエストは、セッションパラメータの変更をするためのリクエストである。
【００４０】
表５及び表６は、Ｓ２１２において送信されるUPDATEリクエストを表す。UPDATEリクエストは、ＩＰ電話機２Ｂ１のセッション切断（※２１２−１）と、パーソナルコンピュータ２Ｂ２のセッション接続（※２１２−２）と、パーソナルコンピュータ２Ｃ１のセッション接続（※２１２−３）とを表す。
【表５】
2008048183.tif 000007
【表６】
2008048183.tif 000008
【００４１】
グループのメンバから削除される自側切替前端末の携帯電話機２Ａ１及び相手側切替前端末のＩＰ電話機２Ｂ１と、グループのメンバに参加するパーソナルコンピュータ２Ａ２、２Ｂ２及び２Ｃ１とは、「200 OK」レスポンスを返信する。
【００４２】
（Ｓ２１９）最終的に、ユーザＡの自側切替後端末のパーソナルコンピュータ２Ａ２と、ユーザＢの相手側切替後端末のパーソナルコンピュータ２Ｂ２と、ユーザＣの相手側切替後端末のパーソナルコンピュータ２Ｃ１との間で、映像データに基づくグループ通信が構成される。
【００４３】
図２によれば、ユーザＢが、ＩＰ電話機２Ｂ１及びパーソナルコンピュータ２Ｂ２を所持している場合について前述した。他の実施形態としては、例えば、１台のパーソナルコンピュータ２Ｂの中に、第１のアドレスを有する音声データ通信インタフェース（例えば携帯電話通信機能）と、第２のアドレスを有する音声／映像データ通信インタフェース（例えば無線ＬＡＮ通信機能）とを有する場合もある。この場合、Ｓ２０１において音声データ通信インタフェースを用いてグループ通信に参加している場合、Ｓ２０９において映像データ通信インタフェースに切り替えればよい。この場合、アドレスを変更すること表すREFERリクエストを送信することもできる。
【００４４】
表７は、Ｓ２０９においてアドレスを変更する場合のREFERリクエストである。
【表７】
2008048183.tif 000009
【００４５】
図３は、本発明におけるグループ管理サーバ及び端末の機能構成図である。
【００４６】
図３によれば、グループ管理サーバ１は、グループメンバセッション制御部１０１と、グループメンバ管理部１０２と、サービス切替要求受信部１０３と、サービス切替通知送信部１０４と、サービス切替応答受信部１０５と、セッション変更要求送信部１０６とを有する。これら機能部は、サーバに搭載されたコンピュータを実行させるプログラムによっても実現できる。
【００４７】
グループメンバセッション制御部１０１は、グループ毎に端末のアドレスを管理するグループメンバ管理部１０２を用いて、端末間のセッションを制御する。セッション制御には、ＳＩＰが用いられる。
【００４８】
サービス切替要求受信部１０３は、自側切替前端末から、端末、アプリケーション又はリンクを切り替える際に、自側切替後端末のアドレス及びデータ種別識別子を含むサービス切替要求（REFERリクエスト）を受信する。また、サービス切替要求受信部１０３は、通知したデータ種別識別子のデータを処理できない相手側切替前端末から、そのデータ種別識別子のデータを処理可能な相手側切替後端末のアドレスを含むサービス切替要求も受信する。これら情報は、グループメンバセッション制御部１０１へ通知される。
【００４９】
サービス切替通知送信部１０４は、グループメンバセッション制御部１０１の指示に応じて、メンバとなる全ての端末へ、データ種別識別子を含むサービス切替通知（NOTIFYリクエスト）を送信する。
【００５０】
サービス切替応答受信部１０５は、サービス切替通知を受信した相手側切替前端末から、サービス切替認容応答（200 OKレスポンス）又はサービス切替拒否応答（420 Unsupported）を受信する。
【００５１】
セッション変更要求送信部１０６は、全ての端末へ、新たなグループ通信を構成するためのセッションの切断及び接続をするアドレスを含むセッション変更要求（UPDATEリクエスト）を送信する。セッション変更要求は、自側切替後端末のアドレス及び相手側切替後端末のアドレスとを含む。
【００５２】
図３によれば、端末２は、グループメンバ管理部２０１と、サービス切替判定部２０２と、サービス切替要求送信部２０３と、サービス切替通知受信部２０４と、サービス切替応答送信部２０５と、セッション変更要求受信部２０６とを有する。これら機能部は、端末に搭載されたコンピュータを実行させるプログラムによっても実現できる。
【００５３】
グループメンバ管理部２０１は、グループ通信をする他の端末のアドレスを管理する。
【００５４】
サービス切替要求送信部２０３は、端末、アプリケーション又はリンクを切り替える際に、切替後端末のアドレス及びデータ種別識別子を含むサービス切替要求（REFERリクエスト）を、サーバへ送信する。また、サービス切替要求送信部２０３は、サービス切替判定部２０２の指示に応じて、データ種別識別子のデータを処理可能な切替後端末のアドレスを含むサービス切替要求を、サーバへ送信する。
【００５５】
サービス切替通知受信部２０４は、サーバから、データ種別識別子を含むサービス切替通知（NOTIFYリクエスト）を受信する。この情報は、サービス切替判定部２０２へ通知される。
【００５６】
サービス切替判定部２０２は、データ種別識別子のデータを処理するか否かを判定する。判定された結果（処理可能／不可能）は、サービス切替要求送信部２０３及びサービス切替応答送信部２０５へ通知される。この判定は、端末２が、自らの処理能力を判定して自動的に導出するものであってもよいし、ユーザの操作に応じるものであってもよい。
【００５７】
サービス切替応答送信部２０５は、データ種別識別子のデータを処理しないと判定した際に、サービス切替拒否応答（420 Unsupportedレスポンス）をサーバへ送信する。また、データ種別識別子のデータを処理すると判定した際に、サービス切替認容応答（200
OKレスポンス）をサーバへ送信する。
【００５８】
セッション変更要求受信部２０６は、サーバは、グループ通信のためのセッション変更要求（UPDATEリクエスト）を受信する。セッション変更要求には、全ての端末へ、セッションの切断及び接続についてのアドレスを含む。
【００５９】
以上詳細に説明したように、第１のグループ通信型サービスから第２のサービスに切り替える際に、第２のサービスに基づくデータ種別のデータを処理できない端末がメンバとして存在している場合であっても、できる限り第２のサービスを提供できるようになる。
【００６０】
前述した本発明の種々の実施形態において、当業者は、本発明の技術思想及び見地の範囲の種々の変更、修正及び省略を容易に行うことができる。前述の説明はあくまで例であって、何ら制約しようとするものではない。本発明は、特許請求の範囲及びその均等物として限定するものにのみ制約される。
【図面の簡単な説明】
【００６１】
【図１】本発明におけるシステム構成図である。
【図２】本発明におけるシーケンス図である。
【図３】本発明におけるグループ管理サーバ及び端末の機能構成図である。
【符号の説明】
【００６２】
１  グループ管理サーバ
１０１  グループメンバセッション制御部
１０２  グループメンバ管理部
１０３  サービス切替要求受信部
１０４  サービス切替通知送信部
１０５  サービス切替応答受信部
１０６  セッション変更要求送信部
２  端末
２０１  グループメンバ管理部
２０２  サービス切替判定部
２０３  サービス切替要求送信部
２０４  サービス切替通知受信部
２０５  サービス切替応答送信部
２０６  セッション変更要求受信部
２Ａ１  ユーザＡの所持する携帯電話機
２Ａ２  ユーザＡの所持するパーソナルコンピュータ
２Ｂ１  ユーザＢの所持するＩＰ電話機
２Ｂ２  ユーザＢの所持するパーソナルコンピュータ
２Ｃ１  ユーザＣの所持するパーソナルコンピュータ
３  インターネット
【図１】
2008048183.tif 000010
【図２】
2008048183.tif 000011
【図３】
2008048183.tif 000012